(57)【要約】【課題】画像の解像度を向上させるとともに、消費電力を低減することができる液晶表示装置を実現する。【解決手段】液晶表示装置１００において、ＲＧＢデジタル変換回路１が画像信号をＬＥＤパネル２の画素領域毎にＲ、Ｇ、Ｂ各色のカラーデータに分解して取得した階調レベルから、階調レベル最大値検出部４が階調レベルの最大値を検出する。そして、ＰＷＭ制御回路５がその階調レベルの最大値に応じた強度のＲ、Ｇ、Ｂ各色の光が重ならないように各色の光を周期的にバックライト光源３に出力させるとともに、ＬＥＤ制御回路６が、最大値の階調レベルを有するＲ、Ｇ、Ｂ各色のカラーデータに対応する画素領域の透過率を最大とするとともに、それ以外の画素領域の透過率を取得されたＲ、Ｇ、Ｂ各色の階調レベルに応じて設定し調整することにより、ＬＥＤパネル２の画素領域を透過した光に基づいて画像信号に基づく画像を表示するようにした。【選択図】図１
2006047594.tif 000002
【特許請求の範囲】
【請求項１】
画像信号に応じてＲ、Ｇ、Ｂ各色の光をそれぞれ独立に出力可能なバックライト光源と、その画像信号に応じて前記バックライト光源が出力する光の透過率を変化させる複数の画素領域を有する液晶部と、を備え、前記液晶部を透過した光に基づいて前記画像信号に基づく画像を表示する液晶表示装置において、
前記画像信号を前記複数の画素領域毎にＲ、Ｇ、Ｂ各色のカラーデータに分解し、Ｒ、Ｇ、Ｂ各色の階調レベルを取得するＲＧＢ階調レベル取得手段と、
前記ＲＧＢ階調レベル取得手段により取得されたＲ、Ｇ、Ｂ各色の階調レベルの最大値を検出する階調レベル最大値検出手段と、
前記階調レベル最大値検出手段により検出された階調レベルの最大値に応じた強度のＲ、Ｇ、Ｂ各色の光を、Ｒ、Ｇ、Ｂ各色の光が重ならないように各色の光を周期的に前記バックライト光源に出力させる光出力制御手段と、
前記階調レベル最大値検出手段により検出された最大値の階調レベルを有するＲ、Ｇ、Ｂ各色のカラーデータに対応する前記画素領域の透過率を最大とするとともに、それ以外の画素領域の透過率を前記ＲＧＢ階調レベル取得手段により取得されたＲ、Ｇ、Ｂ各色の階調レベルに応じて設定する透過率設定手段と、
を備えることを特徴とする液晶表示装置。
【請求項２】
画像信号に応じてＲ、Ｇ、Ｂ各色の光をそれぞれ独立に出力可能なバックライト光源と、その画像信号に応じて前記バックライト光源が出力する光の透過率を変化させる複数の画素領域を有する液晶部と、を備え、前記液晶部を透過した光に基づいて前記画像信号に基づく画像を表示する液晶表示装置において、
前記画像信号を前記複数の画素領域毎にＲ、Ｇ、Ｂ各色のカラーデータに分解し、Ｒ、Ｇ、Ｂ各色の階調レベルを取得するＲＧＢ階調レベル取得手段と、
前記ＲＧＢ階調レベル取得手段により取得されたＲ、Ｇ、Ｂ各色の階調レベルの最大値を検出する階調レベル最大値検出手段と、
前記階調レベル最大値検出手段により検出された階調レベルの最大値に応じた強度のＲ、Ｇ、Ｂ各色の光を、前記バックライト光源に出力させる光出力制御手段と、
前記階調レベル最大値検出手段により検出された最大値の階調レベルを有するＲ、Ｇ、Ｂ各色のカラーデータに対応する前記画素領域の透過率を最大とするとともに、それ以外の画素領域の透過率を前記ＲＧＢ階調レベル取得手段により取得されたＲ、Ｇ、Ｂ各色の階調レベルに応じて設定する透過率設定手段と、
を備えることを特徴とする液晶表示装置。
【請求項３】
前記光出力制御手段は、Ｒ、Ｇ、Ｂ各色の光が重ならないように各色の光を周期的に前記バックライト光源に出力させることを特徴とする請求項２に記載の液晶表示装置。
【発明の詳細な説明】
【技術分野】
【０００１】
本発明は、液晶表示装置に関する。
【背景技術】
【０００２】
近年、パーソナルコンピュータなどのＯＡ機器やテレビジョンなどの家電製品の軽量、薄型化に伴い、ディスプレイ装置についても軽量化、薄型化が要求されている。そのため、従来より普及しているＣＲＴに代わるものとして、液晶表示装置（ＬＣＤ）の開発が進められている（例えば、特許文献１，２，３，４，５参照。）。
【特許文献１】特開２０００−２１４８２５号公報
【特許文献２】特開２００１−１４７６７３号公報
【特許文献３】特開２００２−３５９７５４号公報
【特許文献４】特開２００３−１１０８７８号公報
【特許文献５】特開２００３−１３１６２３号公報
【発明の開示】
【発明が解決しようとする課題】
【０００３】
しかしながら、上記従来技術の場合、液晶表示装置の画質や視野角などの向上は図られているものの、ＬＥＤなど光源の発光量の調整は行われておらず、光源の消費電力については問題視されていなかった。
【０００４】
本発明の目的は、画像の解像度を向上させるとともに、消費電力を低減することができる液晶表示装置を提供することである。
【課題を解決するための手段】
【０００５】
以上の課題を解決するため、請求項１記載の発明は、画像信号に応じてＲ、Ｇ、Ｂ各色の光をそれぞれ独立に出力可能なバックライト光源と、その画像信号に応じて前記バックライト光源が出力する光の透過率を変化させる複数の画素領域を有する液晶部と、を備え、前記液晶部を透過した光に基づいて前記画像信号に基づく画像を表示する液晶表示装置において、前記画像信号を前記複数の画素領域毎にＲ、Ｇ、Ｂ各色のカラーデータに分解し、Ｒ、Ｇ、Ｂ各色の階調レベルを取得するＲＧＢ階調レベル取得手段と、前記ＲＧＢ階調レベル取得手段により取得されたＲ、Ｇ、Ｂ各色の階調レベルの最大値を検出する階調レベル最大値検出手段と、前記階調レベル最大値検出手段により検出された階調レベルの最大値に応じた強度のＲ、Ｇ、Ｂ各色の光を、Ｒ、Ｇ、Ｂ各色の光が重ならないように各色の光を周期的に前記バックライト光源に出力させる光出力制御手段と、前記階調レベル最大値検出手段により検出された最大値の階調レベルを有するＲ、Ｇ、Ｂ各色のカラーデータに対応する前記画素領域の透過率を最大とするとともに、それ以外の画素領域の透過率を前記ＲＧＢ階調レベル取得手段により取得されたＲ、Ｇ、Ｂ各色の階調レベルに応じて設定する透過率設定手段と、を備えることを特徴とする。
【０００６】
請求項２記載の発明は、画像信号に応じてＲ、Ｇ、Ｂ各色の光をそれぞれ独立に出力可能なバックライト光源と、その画像信号に応じて前記バックライト光源が出力する光の透過率を変化させる複数の画素領域を有する液晶部と、を備え、前記液晶部を透過した光に基づいて前記画像信号に基づく画像を表示する液晶表示装置において、前記画像信号を前記複数の画素領域毎にＲ、Ｇ、Ｂ各色のカラーデータに分解し、Ｒ、Ｇ、Ｂ各色の階調レベルを取得するＲＧＢ階調レベル取得手段と、前記ＲＧＢ階調レベル取得手段により取得されたＲ、Ｇ、Ｂ各色の階調レベルの最大値を検出する階調レベル最大値検出手段と、前記階調レベル最大値検出手段により検出された階調レベルの最大値に応じた強度のＲ、Ｇ
、Ｂ各色の光を、前記バックライト光源に出力させる光出力制御手段と、前記階調レベル最大値検出手段により検出された最大値の階調レベルを有するＲ、Ｇ、Ｂ各色のカラーデータに対応する前記画素領域の透過率を最大とするとともに、それ以外の画素領域の透過率を前記ＲＧＢ階調レベル取得手段により取得されたＲ、Ｇ、Ｂ各色の階調レベルに応じて設定する透過率設定手段と、を備えることを特徴とする。
【０００７】
請求項３記載の発明は、請求項２に記載の液晶表示装置において、前記光出力制御手段は、Ｒ、Ｇ、Ｂ各色の光が重ならないように各色の光を周期的に前記バックライト光源に出力させることを特徴とする。
【発明の効果】
【０００８】
請求項１記載の発明によれば、液晶表示装置は、画像信号を液晶部の複数の画素領域毎に分解して、Ｒ、Ｇ、Ｂ各色の階調レベルを取得し、その階調レベルの最大値を検出することができる。そして、検出された階調レベルの最大値に応じた強度のＲ、Ｇ、Ｂ各色の光をバックライト光源に出力させることができるので、バックライト光源が必要以上の光を出力することはなく、バックライト光源の出力の無駄を省き、消費電力を低減することができる。
【０００９】
また、バックライト光源がＲ、Ｇ、Ｂ各色の光が重ならないように各色の光を周期的に出力することにより、ＲＧＢ各色の光を残像現象として混合することができ、また、検出された最大値の階調レベルを有するＲ、Ｇ、Ｂ各色のカラーデータに対応する画素領域の透過率を最大とするとともに、それ以外の画素領域の透過率をＲ、Ｇ、Ｂ各色の階調レベルに応じて設定することができるので、バックライト光源が出力したＲＧＢ各色の光が液晶部の画素領域を透過する透過率が階調レベルに応じて調整されて混合されることで、液晶部の全画素領域においてフルカラーでの画像表示が可能となり、画像の解像度を向上させることができる。
【００１０】
請求項２記載の発明によれば、液晶表示装置は、画像信号を液晶部の複数の画素領域毎に分解して、Ｒ、Ｇ、Ｂ各色の階調レベルを取得し、その階調レベルの最大値を検出することができる。そして、検出された階調レベルの最大値に応じた強度のＲ、Ｇ、Ｂ各色の光をバックライト光源に出力させることができるので、バックライト光源が必要以上の光を出力することはなく、バックライト光源の出力の無駄を省き、消費電力を低減することができる。
【００１１】
また、バックライト光源がＲ、Ｇ、Ｂ各色の光を出力するとともに、検出された最大値の階調レベルを有するＲ、Ｇ、Ｂ各色のカラーデータに対応する画素領域の透過率を最大とし、それ以外の画素領域の透過率をＲ、Ｇ、Ｂ各色の階調レベルに応じて設定することができるので、バックライト光源が出力したＲＧＢ各色の光が液晶部の画素領域を透過する透過率が階調レベルに応じて調整されることで、液晶部の全画素領域において様々な色の画像表示が可能となり、画像の解像度を向上させることができる。
【００１２】
請求項３記載の発明によれば、請求項２記載の発明と同様の効果が得られることは無論のこと、特に、バックライト光源はＲ、Ｇ、Ｂ各色の光が重ならないように各色の光を周期的に出力することができるので、ＲＧＢ各色の光を残像現象として混合することができる。
【００１３】
よって、液晶部の全画素領域においてフルカラーでの画像表示が可能となり、画像の解像度をより向上させることができる。
【発明を実施するための最良の形態】
【００１４】
以下、図面を参照して、本発明に係る液晶表示装置について詳細に説明する。
【００１５】
図１に示すように、液晶表示装置１００は、所定の画像に関する画像信号を受信して、その画像信号をＲ（赤）、Ｇ（緑）、Ｂ（青）各色のカラーデータに分解するＲＧＢデジ
タル変換回路１と、ＲＧＢデジタル変換回路１から階調レベル最大値検出部４とＬＣＤ制御回路６を介して転送されるＬＣＤ信号に応じて各画素領域の透過率を変化させることにより所定の画像を表示可能とする液晶部としてのＬＣＤパネル２と、ＲＧＢデジタル変換回路１から階調レベル最大値検出部４とＰＷＭ制御回路５を介して転送されるバックライト信号に応じてＲ、Ｇ、Ｂ各色の光をそれぞれ独立に出力可能なバックライト光源３等により構成されている。
【００１６】
ＬＣＤパネル２は、例えば、偏光板が配されたガラス板の間に透明電極や配向膜を介して液晶を封入し、その液晶が配列する向き（偏向角）をマトリックス状に配置した透明電極に印加する電圧により調整する従来周知のＬＥＤパネルを適用することができるので、ＬＥＤパネルの構成や動作等については、ここでは詳述しない。
【００１７】
なお、マトリックス状の透明電極は、ＬＣＤパネル２の複数の画素領域に対応するように配置されており、ＬＣＤパネル２における透明電極に印加する電圧を調整することによって、液晶の偏向角を調整し、バックライト光源３が出力する光の透過率を画素領域毎に変化させて調節することができるようになっている。
【００１８】
バックライト光源３は、赤色の光を出力するＬＥＤ（Ｒ）と、緑色の光を出力するＬＥＤ（Ｇ）と、青色の光を出力するＬＥＤ（Ｂ）とにより構成されている。
【００１９】
そして、バックライト光源３が出力し、ＬＣＤパネル２を透過した光に基づいて、所定の画像が形成されて表示されるようになっている。
【００２０】
ＲＧＢデジタル変換回路１は、受信した画像信号をＬＣＤパネル２の複数の画素領域毎にＲ、Ｇ、Ｂ各色のカラーデータに分解するとともに、分解した各色のカラーデータの階調レベルを取得し、各色の階調レベルを階調レベル最大値検出手段としての階調レベル最大値検出部４に出力する。
【００２１】
つまり、ＲＧＢデジタル変換回路１は、ＲＧＢ階調レベル取得手段として機能する。
【００２２】
階調レベル最大値検出部４は、Ｒ成分に関するカラーデータの階調レベルが入力されるＲ成分階調レベル最大値検出部４Ｒと、Ｇ成分に関するカラーデータの階調レベルが入力されるＧ成分階調レベル最大値検出部４Ｇと、Ｂ成分に関するカラーデータの階調レベルが入力されるＢ成分階調レベル最大値検出部４Ｂと、により構成されている。
【００２３】
Ｒ成分階調レベル最大値検出部４Ｒ、Ｇ成分階調レベル最大値検出部４Ｇ、Ｂ成分階調レベル最大値検出部４Ｂは、それぞれフィールドメモリ４１と、最大値検出回路４２と、ルックアップテーブル４３と、ガンマ補正回路４４と、を有している。
【００２４】
フィールドメモリ４１は、ＲＧＢデジタル変換回路１から入力されたカラーデータの階調レベルを１画面（１フィールド）毎に記憶し、一時的に蓄積する。
【００２５】
最大値検出回路４２は、フィールドメモリ４１に記憶された１画面（１フィールド）中の階調レベルの最大値を検出する。そして、検出した階調レベルの最大値を光出力制御手段としてのＰＷＭ制御回路５に出力する。
【００２６】
ルックアップテーブル４３は、階調レベルの最大値に応じて、ＬＣＤパネル２の画素領域の開口率（偏向角）を調整し設定するためのデータが格納されている。
【００２７】
ガンマ補正回路４４は、検出された階調レベルの最大値に応じた画素領域の開口率（偏向角）に関するデータをルックアップテーブル４３から取得し、その開口率（偏向角）に関するデータを透過率設定手段としてのＬＣＤ制御回路６に出力する。
【００２８】
ＰＷＭ制御回路５は、階調レベル最大値検出部４における、Ｒ成分階調レベル最大値検出部４Ｒ、Ｇ成分階調レベル最大値検出部４Ｇ、Ｂ成分階調レベル最大値検出部４Ｂの最大値検出回路４２がそれぞれ検出した各色の階調レベルの最大値に応じた強度のＲ、Ｇ、Ｂの各色の光をバックライト光源３に出力させる。
【００２９】
特に、ＰＷＭ制御回路５は、Ｒ、Ｇ、Ｂ各色の光が重ならないようにタイミングをずらして、各色の光を周期的にバックライト光源３に出力させる。例えば、１画面（１フィールド）当りの画像表示時間が１／６０secである場合、各色の光を１／１８０sec毎、周期的に順次出力させる。
【００３０】
ＬＣＤ制御回路６は、ガンマ補正回路４４から入力された、階調レベルの最大値に応じた画素領域の開口率（偏向角）に関するデータに基づき、ＬＥＤパネル２の各画素領域の透過率を設定し、調整する。
【００３１】
ＬＣＤ制御回路６は、例えば、最大値の階調レベルを有するＲ、Ｇ、Ｂ各色のカラーデータに対応するＬＥＤパネル２の画素領域の透過率を最大に設定するとともに、それ以外の画素領域の透過率を、Ｒ、Ｇ、Ｂ各色の階調レベルが低減する割合に応じて、透過率が低減するように設定する。
【００３２】
つまり、最大値の階調レベルを有するＲ、Ｇ、Ｂ各色のカラーデータに対応するＬＥＤパネル２の画素領域においては、ＬＥＤパネル２の液晶の偏向角が９０°となるように調整し、透過率、開口率を１００％とする。そして、階調レベルが低減する割合に応じて偏向角を９０°から０°側に所定の割合でシフトするようにし、透過率、開口率を１００％から０％に所定の割合で低減するようになっている。
【００３３】
次に、具体的数値を例示するとともに、図２に示すフローチャートに基づき、液晶表示装置１００の画像表示動作について説明する。
【００３４】
まず、ＲＧＢデジタル変換回路１が、表示する画像に関する画像信号を１画面（１フィールド）分、受信する（ステップＳ１０１）。
【００３５】
ＲＧＢデジタル変換回路１は、受信した画像信号をＬＣＤパネル２の複数の画素領域毎にＲ、Ｇ、Ｂ各色のカラーデータに分解するとともに、分解した各色のカラーデータの階調レベルを取得し、各色の階調レベルを階調レベル最大値検出部４に出力する（ステップＳ１０２）。
【００３６】
例えば、ＲＧＢデジタル変換回路１は、図３に示すような、ＬＣＤパネル２の複数の画素領域毎に、画像信号をＲ、Ｇ、Ｂ各色のカラーデータに分解し、その各色のカラーデータの階調レベルを取得する。
【００３７】
次いで、階調レベル最大値検出部４は、入力された各色の階調レベルの最大値を検出する（ステップＳ１０３）。
【００３８】
例えば、８ｂｉｔ階調表現の場合、階調レベル最大値検出部４は、図３に示すように、入力された各色の階調レベルに基づき、画素領域２ｒのＲ成分の階調レベルがこの画面（フィールド）における最大値「２５６」であり、Ｒ最大レベルである画素領域２ｒの各色の階調レベルは「Ｒ：２５６，Ｇ：６４，Ｂ：１２８」であると認識する。
【００３９】
同様に、画素領域２ｇのＧ成分の階調レベルが最大値「１２８」であり、Ｇ最大レベルである画素領域２ｇの各色の階調レベルは「Ｒ：１２８，Ｇ：１２８，Ｂ：６４」、画素領域２ｂのＢ成分の階調レベルが最大値「１９２」であり、Ｂ最大レベルである画素領域２ｂの各色の階調レベルは「Ｒ：１２８，Ｇ：６４，Ｂ：１９２」であると認識する。
【００４０】
そして、階調レベル最大値検出部４は、検出した各色の階調レベルの最大値をＰＷＭ制御回路５に出力し、その各色の階調レベルの最大値に応じた画素領域の開口率（偏向角）に関するデータをＬＣＤ制御回路６に出力する（ステップＳ１０４）。
【００４１】
次いで、ＰＷＭ制御回路５が、各色の階調レベルの最大値に応じた強度のＲ、Ｇ、Ｂの各色の光を１／１８０secずつ、周期的にバックライト光源３に出力させるとともに、Ｌ
ＣＤ制御回路６が、１／１８０カウンタ７（図１参照）のタイミングに従ってバックライト光源３の光の出力に同期させるように、ＬＥＤパネル２の各画素領域の透過率を調整し
、１画面分の画像の表示を行う（ステップＳ１０５）。
【００４２】
例えば、図４に示すように、ＰＷＭ制御回路５は、ＲＧＢ各成分の光が重ならないように、バックライト光源３に、階調レベル「２５６」に応じた強度のＲ成分の光を１／１８０sec出力させ、次いで、階調レベル「１２８」に応じた強度のＧ成分の光を１／１８０sec出力させ、次いで、階調レベル「１９２」に応じた強度のＢ成分の光を１／１８０sec
出力させる。
【００４３】
そして、この各色の光の出力と同期するように、ＬＣＤ制御回路６は、ＬＥＤパネル２の各画素領域の透過率を調整する。
【００４４】
例えば、Ｒ成分の光がバックライト光源３から出力されるタイミングにおいて、画素領域２ｒの開口率（透過率）が１００％となるように、画素領域２ｒに対応する液晶の偏向角を調整するとともに、画素領域２ｇの開口率（透過率）が５０％、画素領域２ｂの開口率（透過率）が５０％となるように、画素領域２ｇ、２ｂに対応する液晶の偏向角をそれぞれ調整する。
【００４５】
このように、各画素領域の液晶の偏向角を調整することにより、バックライト光源３から出力されたＲ成分の光の光量がＬＥＤパネル２を透過する際に調整されて、画素領域２ｒにおいては階調レベル「２５６」、画素領域２ｇにおいては階調レベル「１２８」、画素領域２ｂにおいては階調レベル「１２８」に応じた強度の光が出力される。
【００４６】
同様に、Ｇ成分の光がバックライト光源３から出力されるタイミングにおいて、画素領域２ｇの開口率（透過率）が１００％となるように、画素領域２ｇに対応する液晶の偏向角を調整するとともに、画素領域２ｒの開口率（透過率）が５０％、画素領域２ｂの開口率（透過率）が５０％となるように、画素領域２ｒ、２ｂに対応する液晶の偏向角をそれぞれ調整する。そして、バックライト光源３から出力されたＧ成分の光の光量がＬＥＤパネル２を透過する際に調整されて、画素領域２ｒにおいては階調レベル「６４」、画素領域２ｇにおいては階調レベル「１２８」、画素領域２ｂにおいては階調レベル「６４」に応じた強度の光が出力される。
【００４７】
また、Ｂ成分の光がバックライト光源３から出力されるタイミングにおいて、画素領域２ｂの開口率（透過率）が１００％となるように、画素領域２ｂに対応する液晶の偏向角を調整するとともに、画素領域２ｒの開口率（透過率）が６７％、画素領域２ｇの開口率（透過率）が３３％となるように、画素領域２ｒ、２ｇに対応する液晶の偏向角をそれぞれ調整する。そして、バックライト光源３から出力されたＧ成分の光の光量がＬＥＤパネル２を透過する際に調整されて、画素領域２ｒにおいては階調レベル「１２８」、画素領域２ｇにおいては階調レベル「６４」、画素領域２ｂにおいては階調レベル「１９２」に応じた強度の光が出力される。
【００４８】
そして、バックライト光源３が、Ｒ、Ｇ、Ｂの各色の光を１／１８０secずつ、周期的
に出力した光は、人の目では追随できない速さで切り替わるので、残像現象としてＲＧＢ各成分の光が混合される。つまり、バックライト光源３が出力した光の光量がＬＥＤパネル２の画素領域毎に調整されて出力されるＲＧＢ各色の光が混合されることで、フルカラーでの画像表示が可能となる。
【００４９】
具体的には、バックライト光源３がＲ、Ｇ、Ｂの各色の光を出力した１／６０secにお
いて、画素領域２ｒでは階調レベル「Ｒ：２５６，Ｇ：６４，Ｂ：１２８」に応じた強度の光に基づく色が表示される。同様に、画素領域２ｇでは階調レベル「Ｒ：１２８，Ｇ：１２８，Ｂ：６４」に応じた強度の光に基づく色が、画素領域２ｂでは階調レベル「Ｒ：１２８，Ｇ：６４，Ｂ：１９２」に応じた強度の光に基づく色が表示される。
【００５０】
このように、全ての画像領域においてそれぞれの色が表示されることで、１画面分の画像が表示される。
【００５１】
次いで、ＲＧＢデジタル変換回路１が、画像信号を受信すれば（ステップＳ１０６；Ｙ
ｅｓ）、ステップＳ１０２へ戻り、次の画像の表示を行う。そして、１／６０secの１画
像を繰り返し表示するようになっており、動画の表示も可能となる。
【００５２】
一方、ＲＧＢデジタル変換回路１が、画像信号を受信しなければ（ステップＳ１０６；Ｎｏ）、画像表示処理を終了する。
【００５３】
このように、本発明の液晶表示装置１００によれば、バックライト光源３がＲＧＢ各色の光を周期的に出力した光が、残像現象として混合されて、ＬＣＤパネル２の全画素領域においてフルカラーでの画像表示が可能となるので、従来の液晶表示装置のようなカラーフィルターが不要となる。そして、カラーフィルターが不要となり、ＬＣＤパネル２の全画素領域でフルカラーでの画像表示が可能となることにより、液晶表示装置が表示する画像の解像度を向上させることができる。
【００５４】
特に、液晶表示装置１００は、表示する画像の画像信号を解析し、ＲＧＢ各色の階調レベルの最大値を検出することにより、その階調レベルの最大値に応じた強度の光をバックライト光源３に出力させる。そして、階調レベルが最大値である画像領域においては、ＬＣＤパネル２の液晶の開口率、透過率を１００％となるように調整するとともに、それ以外の画像領域においては、階調レベルが低減する割合に応じて、ＬＣＤパネル２の液晶の開口率、透過率が低減するように調整するようになっており、フルカラー表示を可能としている。このように、階調レベルの最大値に応じた強度の光をバックライト光源３に出力させることにより、バックライト光源の消費電力を低減することができる。
【００５５】
つまり、従来の液晶表示装置では、表示する画像に対して必要な強度以上の光を出力し、画像信号の最大値の階調レベルに対応する画像領域においても、不要な光をカットするようにＬＣＤパネルの液晶の開口率、透過率を調整するという、消費電力の無駄があった。それに対し、本発明の液晶表示装置１００のバックライト光源３は、表示する画像における階調レベルに応じた強度の光を出力するようになっているので、従来の液晶表示装置において、画像の階調レベルに関わらず、常にバックライト光源が最大出力での発光を行い、画像信号の階調レベルに応じてＬＣＤパネル２の液晶の開口率、透過率を調整することにより、各色の表示を行っていたことに比べ、バックライト光源の消費電力を低減することができる。
【００５６】
よって、本発明の液晶表示装置１００は、表示画像の解像度の向上を図るとともに、消費電力を低減することができる。
【００５７】
なお、本発明の適用は上述した実施形態に限定されることなく、本発明の趣旨を逸脱しない範囲で適宜変更可能であることは勿論である。
【図面の簡単な説明】
【００５８】
【図１】本発明に係る液晶表示装置の要部構成を示すブロック図である。
【図２】本発明に係る液晶表示装置の画像表示動作を示すフローチャートである。
【図３】ＬＥＤパネルの画素領域についての説明図である。
【図４】液晶表示装置の画像表示についての説明図である。
【符号の説明】
【００５９】
１      ＲＧＢデジタル変換回路（ＲＧＢ階調レベル取得手段）
２      ＬＥＤパネル（液晶部）
２ｒ、２ｇ、２ｂ  画素領域
３      バックライト光源
４      階調レベル最大値検出部（階調レベル最大値検出手段）
４Ｒ    Ｒ成分階調レベル最大値検出部（階調レベル最大値検出手段）
４Ｇ    Ｇ成分階調レベル最大値検出部（階調レベル最大値検出手段）
４Ｂ    Ｂ成分階調レベル最大値検出部（階調レベル最大値検出手段）
４１    フィールドメモリ
４２    最大値検出回路
４３    ルックアップテーブル
４４    ガンマ補正回路
５      ＰＷＭ制御回路（光出力制御手段）
６      ＬＥＤ制御回路（透過率設定手段）
７      １／１８０カウンタ
１００  液晶表示装置
【図１】
2006047594.tif 000003
【図２】
2006047594.tif 000004
【図３】
2006047594.tif 000005
【図４】
2006047594.tif 000006